(57)【要約】【課題】低コストなシステム構築のために、通信端末が、ＧＰＳ、各種センサもしくは路車間ＩＴＳシステム等の機能を搭載することなく、配信された情報の受信処理を移動特性に応じて変更することが出来る情報配信システムを提供すること。【解決手段】本発明かかる情報配信システムは、移動通信ネットワーク上に配置された基地局２０が形成するセルから移動通信ネットワーク上に配置された他の基地局３０が形成するセルへ移動する通信端末４０と、通信端末４０へデータを配信する配信装置１０と、を備える。配信装置１０は、通信端末４０のセル間の移動に伴う在圏セルの変化特性に応じた受信処理の実行を指示する指示メッセージを通信端末４０へ送信し、通信端末４０は、指示メッセージを受信すると、自装置のセル間の移動に関する移動履歴と在圏セルの変化特性とに基づいてデータの受信処理を実行する。【選択図】図１
2015008399.tif 000002
【特許請求の範囲】
【請求項１】
移動通信ネットワーク上に配置された基地局が形成するセルから前記移動通信ネットワーク上に配置された他の基地局が形成するセルへ移動する通信端末と、
前記通信端末へデータを配信する配信装置と、を備え、
前記配信装置は、
前記通信端末のセル間の移動に伴う在圏セルの変化特性に応じた受信処理の実行を指示する指示メッセージを前記通信端末へ送信し、
前記通信端末は、
前記指示メッセージを受信すると、自装置のセル間の移動に関する移動履歴と前記在圏セルの変化特性とに基づいて前記データの受信処理を実行する、情報配信システム。
【請求項２】
前記通信端末は、
前記自装置の移動履歴が、前記配信装置から送信された指示メッセージに含まれる前記在圏セルの変化特性を満たす場合と、前記自装置の移動履歴が、前記配信装置から送信された指示メッセージに含まれる前記在圏セルの変化特性を満たさない場合と、に応じて前記データを受理もしくは前記データを破棄する受信処理を変更する、請求項１に記載の情報配信システム。
【請求項３】
前記移動履歴及び前記在圏セルの変化特性は、
前記通信端末が在圏したセルの変更履歴及び前記通信端末が在圏したセルの変更を伴う移動に要した時間の少なくとも一方を示す、請求項１又は２に記載の情報配信システム。
【請求項４】
前記配信装置は、
前記指示メッセージを含む同報配信メッセージを前記セル内に在圏する全ての通信端末へ送信する、請求項１乃至３のいずれか１項に記載の情報配信システム。
【請求項５】
前記配信装置は、
前記同報配信メッセージを、Cell Broadcast Service（ＣＢＳ）を用いて送信する、請求項４に記載の情報配信システム。
【請求項６】
特定の経路上に配置される複数のセルに対して、前記特定の経路上の移動方向に沿って前記複数のセルに順番にシーケンス番号が付与された場合、
前記移動履歴及び前記在圏セルの変化特性は、
前記通信端末が在圏したセルのシーケンス番号の増加もしくは減少を示す、請求項１乃至５のいずれか１項に記載の情報配信システム。
【請求項７】
前記配信装置は、
前記指示メッセージを含む同報配信メッセージとは異なるメッセージを用いて、前記シーケンス番号を前記基地局へ送信する、請求項６に記載の情報配信システム。
【請求項８】
前記配信装置は、
アプリケーションサーバから通知される配信ポリシーを、前記通信端末のセル間の移動に伴う在圏セルの変化特性に関する情報へ変換する、請求項１乃至７のいずれか１項に記載の情報配信システム。
【請求項９】
前記通信端末は、
移動に伴い在圏するセルが変更された場合、変更後のセルのセルＩＤを取得し、取得したセルＩＤを用いて前記移動履歴を生成する、請求項１乃至８のいずれか１項に記載の情報配信システム。
【請求項１０】
移動通信ネットワーク上に配置された基地局が形成するセルから前記移動通信ネットワーク上に配置された他の基地局が形成するセルへ移動し、配信装置から配信されたデータを受信する通信端末であって、
セル間の移動に伴う在圏セルの変化特性に応じた受信処理の実行を指示する指示メッセージを前記配信装置から受信する受信部と、
自装置のセル間の移動に関する移動履歴と前記在圏セルの変化特性とに基づいて、前記データの受信処理を実行する受信判定部と、を備える通信端末。
【請求項１１】
前記受信判定部は、
前記自装置の移動履歴が、前記配信装置から送信された指示メッセージに含まれる前記在圏セルの変化特性を満たす場合と、前記自装置の移動履歴が、前記配信装置から送信された指示メッセージに含まれる前記在圏セルの変化特性を満たさない場合と、に応じて前記データを受理もしくは前記データを破棄する受信処理を変更する、請求項１０に記載の通信端末。
【請求項１２】
前記移動履歴及び前記在圏セルの変化特性は、
在圏したセルの変更履歴及び在圏したセルの変更を伴う移動に要した時間の少なくとも一方を示す、請求項１０又は１１に記載の通信端末。
【請求項１３】
特定の経路上に配置される複数のセルに対して、前記特定の経路上の移動方向に沿って前記複数のセルに順番にシーケンス番号が付与された場合、
前記移動履歴及び前記在圏セルの変化特性は、
前記通信端末が在圏したセルのシーケンス番号の増加もしくは減少を示す、請求項１０乃至１２のいずれか１項に記載の通信端末。
【請求項１４】
移動に伴い在圏するセルが変更される場合、変更後のセルのセルＩＤを取得するセルＩＤ取得部と、
取得した前記セルＩＤを用いて前記移動履歴を生成する移動履歴生成部と、をさらに備える、請求項１０乃至１３のいずれか１項に記載の通信端末。
【請求項１５】
前記受信部は、
セル内に在圏する全ての通信端末に対して送信される同報配信メッセージに含まれる前記指示メッセージを受信する、請求項１０乃至１４のいずれか１項に記載の通信端末。
【請求項１６】
移動通信ネットワーク上に配置された基地局が形成するセルから前記移動通信ネットワーク上に配置された他の基地局が形成するセルへ移動する通信端末へデータを配信する配信装置であって、
前記通信端末のセル間の移動に伴う在圏セルの変化特性に応じた受信処理の実行を指示する指示メッセージを前記通信端末へ送信する送信部、を備える配信装置。
【請求項１７】
前記在圏セルの変化特性は、
前記通信端末が在圏したセルの変更履歴及び前記通信端末が在圏したセルの変更を伴う移動に要した時間の少なくとも一方を示す、請求項１６に記載の配信装置。
【請求項１８】
前記送信部は、
前記指示メッセージを含む同報配信メッセージを前記セル内に在圏する全ての通信端末へ送信する、請求項１６又は１７に記載の配信装置。
【請求項１９】
前記送信部は、
前記同報配信メッセージを、Cell Broadcast Service（ＣＢＳ）を用いて送信する、請求項１８に記載の配信装置。
【請求項２０】
特定の経路上に配置される複数のセルに対して、前記特定の経路上の移動方向に沿って前記複数のセルに順番にシーケンス番号が付与された場合、
前記前記在圏セルの変化特性は、
前記通信端末が在圏したセルのシーケンス番号の増加もしくは減少を示す、請求項１６乃至１９のいずれか１項に記載の配信装置。
【請求項２１】
アプリケーションサーバから通知される配信ポリシーを、前記通信端末のセル間の移動に伴う在圏セルの変化特性に関する情報へ変換する変換部をさらに備える、請求項１６乃至２０のいずれか１項に記載の配信装置。
【請求項２２】
移動通信ネットワーク上に配置された基地局が形成するセルから前記移動通信ネットワーク上に配置された他の基地局が形成するセルへ移動し、配信装置から配信されたデータを受信する通信端末におけるデータ受信方法であって、
セル間の移動に伴う在圏セルの変化特性に応じた受信処理の実行を指示する指示メッセージを前記配信装置から受信し、
自装置のセル間の移動に関する移動履歴と前記在圏セルの変化特性とに基づいて、前記データの受信処理を実行する、データ受信方法。
【請求項２３】
前記データの受信処理は、
前記自装置の移動履歴が、前記配信装置から送信された指示メッセージに含まれる前記在圏セルの変化特性を満たす場合と、前記自装置の移動履歴が、前記配信装置から送信された指示メッセージに含まれる前記在圏セルの変化特性を満たさない場合と、に応じて前記データを受理もしくは前記データを破棄する受信処理を変更する、請求項２２に記載のデータ受信方法。
【請求項２４】
移動通信ネットワーク上に配置された基地局が形成するセルから前記移動通信ネットワーク上に配置された他の基地局が形成するセルへ移動する通信端末へデータを配信する配信装置におけるデータ配信方法であって、
前記通信端末のセル間の移動に伴う在圏セルの変化特性に応じた受信処理の実行を指示する指示メッセージを前記通信端末へ送信する、データ配信方法。
【請求項２５】
前記指示メッセージを前記通信端末へ送信する前に、アプリケーションサーバから通知される配信ポリシーを、前記通信端末のセル間の移動に伴う在圏セルの変化特性に関する情報へ変換する、請求項２４に記載のデータ配信方法。
【請求項２６】
移動通信ネットワーク上に配置された基地局が形成するセルから前記移動通信ネットワーク上に配置された他の基地局が形成するセルへ移動し、配信装置から配信されたデータを受信するコンピュータに実行させるプログラムであって、
セル間の移動に伴う在圏セルの変化特性に応じた受信処理の実行を指示する指示メッセージを前記配信装置から受信するステップと、
自装置のセル間の移動に関する移動履歴と前記在圏セルの変化特性とに基づいて、前記データの受信処理を実行するステップとをコンピュータに実行させるプログラム。
【請求項２７】
移動通信ネットワーク上に配置された基地局が形成するセルから前記移動通信ネットワーク上に配置された他の基地局が形成するセルへ移動する通信端末へデータを配信するコンピュータに実行させるプログラムであって、
前記通信端末のセル間の移動に伴う在圏セルの変化特性に応じた受信処理の実行を指示する指示メッセージを前記通信端末へ送信するステップを、コンピュータに実行させるプログラム。
【発明の詳細な説明】
【技術分野】
【０００１】
本発明は情報配信システムに関し、例えばセル間を移動する通信端末に対してデータを配信する情報配信システムに関する。
【背景技術】
【０００２】
一般的に、通信ネットワークを介して災害情報等を迅速に配信するために、Cell Broadcast Service（ＣＢＳ）およびＥＴＷＳ（Earthquake and Tsunami Warning System）が用いられている（以降、両者をまとめてＣＢＳと呼ぶ。）。ＣＢＳは、情報配信元装置から送信された情報を、基地局が管理するセル単位に情報を配信するサービスである。つまり、ＣＢＳを用いることによって、セルに在圏する全ての通信端末に対して同一の情報を送信することが出来る。これによって、セルに在圏する全ての通信端末は、基地局を介して同一の情報を受信することが出来る。ＣＢＳのネットワーク構成及びＣＢＳを構成する各装置の動作等は、例えば非特許文献１に開示されている。
【０００３】
近年、ＣＢＳを災害情報の配信以外に、商業的に利用することが検討されている。例えば、商業的な利用とは、ＣＢＳを用いた広告配信、公共情報および半公共情報（天候、事故情報、事件情報等）の配信、通信端末の動作を制御する情報の配信等があげられる。
【先行技術文献】
【非特許文献】
【０００４】
【非特許文献１】3GPP TS 23.041 V12.1.0 (2013-03) 3rd Generation Partnership Project; Technical Specification Group Core Network and Terminals; Technical realization of Cell Broadcast Service (CBS) (Release 12)
【発明の概要】
【発明が解決しようとする課題】
【０００５】
現在のＣＢＳは、基本的にセル内の全ての通信端末へ同一の情報を配信するために用いられている。そのため、セル内のある通信端末には配信した情報を表示させ、同一セル内の別の通信端末には配信した情報を表示させない、という制御を、例えば通信端末の移動特性に応じて実行することが出来ないという問題がある。通信端末の移動特性に応じた制御とは、例えば、北方向へ向かう通信端末のみＣＢＳを用いて配信されたメッセージを受信することが出来る等の制御である。
【０００６】
ここで、通信端末は、Global Positioning System （ＧＰＳ）、各種センサ（例えば、ジャイロセンサもしくは加速度センサ等）もしくは路車間ＩＴＳシステム等の機能を搭載している場合、自装置の移動特性を把握することが出来る。しかし、通信端末にＧＰＳ、各種センサもしくは路車間Intelligent Transport Systems （ＩＴＳ）システム等の機能を搭載することによって通信端末のコストが増加してしまうという問題がある。そのため、ＧＰＳ等を搭載することなく、通信端末の移動特性に応じて、通信端末は、受信処理を変更することが求められている。
【０００７】
本発明の目的は、低コストなシステム構築のために、通信端末が、ＧＰＳ、各種センサもしくは路車間ＩＴＳシステム等の機能を搭載することなく、配信された情報の受信処理を移動特性に応じて変更することが出来る情報配信システム、通信端末、配信装置、データ受信方法、データ配信方法及びプログラムを提供することにある。
【課題を解決するための手段】
【０００８】
本発明の第１の態様にかかる情報配信システムは、移動通信ネットワーク上に配置された基地局が形成するセルから前記移動通信ネットワーク上に配置された他の基地局が形成するセルへ移動する通信端末と、前記通信端末へデータを配信する配信装置と、を備え、前記配信装置は、前記通信端末のセル間の移動に伴う在圏セルの変化特性に応じた受信処理の実行を指示する指示メッセージを前記通信端末へ送信し、前記通信端末は、前記指示メッセージを受信すると、自装置のセル間の移動に関する移動履歴と前記在圏セルの変化特性とに基づいて前記データの受信処理を実行するものである。
【０００９】
本発明の第２の態様にかかる通信端末は、移動通信ネットワーク上に配置された基地局が形成するセルから前記移動通信ネットワーク上に配置された他の基地局が形成するセルへ移動し、配信装置から配信されたデータを受信する通信端末であって、セル間の移動に伴う在圏セルの変化特性に応じた受信処理の実行を指示する指示メッセージを前記配信装置から受信する受信部と、自装置のセル間の移動に関する移動履歴と前記在圏セルの変化特性とに基づいて、前記データの受信処理を実行する受信判定部と、を備えるものである。
【００１０】
本発明の第３の態様にかかる配信装置は、移動通信ネットワーク上に配置された基地局が形成するセルから前記移動通信ネットワーク上に配置された他の基地局が形成するセルへ移動する通信端末へデータを配信する配信装置であって、前記通信端末のセル間の移動に伴う在圏セルの変化特性に応じた受信処理の実行を指示する指示メッセージを前記通信端末へ送信する送信部、を備えるものである。
【００１１】
本発明の第４の態様にかかるデータ受信方法は、移動通信ネットワーク上に配置された基地局が形成するセルから前記移動通信ネットワーク上に配置された他の基地局が形成するセルへ移動し、配信装置から配信されたデータを受信する通信端末におけるデータ受信方法であって、セル間の移動に伴う在圏セルの変化特性に応じた受信処理の実行を指示する指示メッセージを前記配信装置から受信し、自装置のセル間の移動に関する移動履歴と前記在圏セルの変化特性とに基づいて、前記データの受信処理を実行するものである。
【００１２】
本発明の第５の態様にかかるデータ配信方法は、移動通信ネットワーク上に配置された基地局が形成するセルから前記移動通信ネットワーク上に配置された他の基地局が形成するセルへ移動する通信端末へデータを配信する配信装置におけるデータ配信方法であって、前記通信端末のセル間の移動に伴う在圏セルの変化特性に応じた受信処理の実行を指示する指示メッセージを前記通信端末へ送信するものである。
【００１３】
本発明の第６の態様にかかるプログラムは、移動通信ネットワーク上に配置された基地局が形成するセルから前記移動通信ネットワーク上に配置された他の基地局が形成するセルへ移動し、配信装置から配信されたデータを受信するコンピュータに実行させるプログラムであって、セル間の移動に伴う在圏セルの変化特性に応じた受信処理の実行を指示する指示メッセージを前記配信装置から受信するステップと、自装置のセル間の移動に関する移動履歴と前記在圏セルの変化特性とに基づいて、前記データの受信処理を実行するステップとをコンピュータに実行させるものである。
【発明の効果】
【００１４】
本発明によって、低コストなシステム構築のために、通信端末が、ＧＰＳ、各種センサもしくは路車間ＩＴＳシステム等の機能を搭載することなく、配信された情報の受信処理を移動特性に応じて変更することが出来る情報配信システム、通信端末、配信装置、データ受信方法、データ配信方法及びプログラムを提供するができる。
【図面の簡単な説明】
【００１５】
【図１】実施の形態１にかかる情報配信システムの構成図である。
【図２】実施の形態２にかかる情報配信システムの構成図である。
【図３】実施の形態２にかかるＣＢＣの構成図である。
【図４】実施の形態２にかかるＵＥの構成図である。
【図５】実施の形態２にかかるＣＢＳメッセージの送信処理の流れを示す図である。
【図６】実施の形態２にかかるＣＢＳメッセージの受信処理の流れを示す図である。
【図７】実施の形態３にかかるＵＥの移動履歴を説明する図である。
【図８】実施の形態３にかかるＵＥの移動履歴を説明する図である。
【図９】実施の形態４にかかる情報配信システムの構成図である。
【図１０】実施の形態５にかかる情報配信システムの構成図である。
【図１１】実施の形態６にかかるＵＥの移動履歴を説明する図である。
【図１２】実施の形態６にかかるＣＢＣ及びＵＥの構成図である。
【発明を実施するための形態】
【００１６】
（実施の形態１）
以下、図面を参照して本発明の実施の形態について説明する。はじめに、図１を用いて本発明の実施の形態１にかかる情報配信システムの構成例について説明する。情報配信システムは、配信装置１０、基地局２０、基地局３０及び通信端末４０を有している。また、配信装置１０、基地局２０及び基地局３０は、移動通信ネットワークを構成している。移動通信ネットワークは、3rd Generation Partnership Project（３ＧＰＰ）において定められたネットワークであってもよく、その他のネットワークであってもよい。例えば、配信装置１０がクラウド上の一般的なサーバであり、基地局２０および３０がＷｉｆｉのアクセスポイント（ＡＰ）であっても良く、移動通信ネットワークは、一般的なクラウド上のサーバとＷｉｆｉＡＰとから構成されるものであっても良い。
【００１７】
基地局２０は、移動通信ネットワーク上に配置され、セル２１を形成する。セル２１は、基地局２０が通信端末４０と通信を行うことが出来るエリアである。基地局３０は、移動通信ネットワーク上に配置され、セル３１を形成する。セル３１は、基地局３０が通信端末４０と通信を行うことが出来るエリアである。
【００１８】
通信端末４０は、携帯電話端末や、スマートフォン端末、ノートブック型パーソナルコンピュータ等であってもよく、通信機能が搭載された自動車や、電車等の移動手段であってもよく、時計等のユーザが身につける機械に通信機能を搭載したものであってもよい。また、通信端末４０は、スマートメータや各種環境観測センサ等の、様々な情報を観測する機器に通信機能が搭載された装置であってもよい。通信端末４０は、セル２１からセル３１、もしくは、セル３１からセル２１へ移動する。つまり、通信端末４０は、セル間を移動して通信を行うことが出来る。
【００１９】
配信装置１０は、通信端末４０へデータを配信する。配信装置１０は、基地局２０もしくは基地局３０を介して通信端末４０へデータを配信する。配信装置１０は、中継装置等を介してデータを基地局２０もしくは基地局３０へ送信してもよい。配信装置１０は、同報配信することによってデータを通信端末４０へ送信してもよい。もしくは、配信装置１０は、通信端末４０を宛先として指定するユニキャスト通信を行うことによってデータを通信端末４０へ送信してもよい。同報配信には、マルチキャスト通信、ブロードキャスト通信もしくはセルブロードキャスト通信等が含まれる。
【００２０】
さらに、配信装置１０は、通信端末４０のセル間の移動に伴う在圏セルの変化特性に応じた受信処理の実行を指示する指示メッセージを通信端末４０へ送信する。在圏セルの変化特性とは、通信端末４０が在圏したセルの変更履歴であってもよい。例えば、変更履歴は、通信端末４０が、どのセルを経由して現在のセルに移動してきたか等を示す情報であってもよい。もしくは、在圏セルの変化特性とは、通信端末４０が在圏したセルの変更を伴う移動に要した時間に関する情報であってもよい。例えば、移動に要した時間は、通信端末４０が、他のセルを経由してセル２１に入ってきてから、セル３１へ移動するまでの間に要した時間であってもよい。
【００２１】
受信処理とは、通信端末４０が配信されたデータを受理するもしくは破棄する処理であってもよく、さらに、受理したデータを表示部等へ表示させるもしくは表示部等へ表示させないとする処理であってもよい。なお、メッセージを受理した後の動作内容はまさに様々なものが考えられ、例えば以下のようなものが挙げられる。
・メッセージを表示する。
・メッセージを音声出力する。
・メッセージを他の端末（ＵＥなど）に送信する。
・メッセージに従い、ＡＰＬサーバ向けにデータ通信を開始する。
・メッセージに従い、自端末のソフトウェア（アプリケーションなど）を制御する。
当然ながら、メッセージ受理後の動作は上記に限られるものではない。
【００２２】
通信端末４０は、配信装置１０から送信された指示メッセージを受信すると、自装置のセル間の移動に関する移動履歴と、指示メッセージに含まれる在圏セルの変化特性に関する情報とに基づいて、配信装置１０から配信されるデータの受信処理を実行する。
【００２３】
移動履歴は、通信端末４０が在圏したセルの変更履歴であってもよい。例えば、変更履歴は、通信端末４０が、どのセルを経由して現在のセルに移動してきたか等を示す情報であってもよい。移動履歴は、通信端末４０が在圏したセルの変更を伴う移動に要した時間に関する情報であってもよい。例えば、移動に要した時間は、通信端末４０が、他のセルからセル２１に入ってきてから、セル３１へ移動するまでの間に要した時間であってもよい。
【００２４】
以上説明したように、本発明の実施の形態１にかかる情報配信システムを用いることによって、通信端末４０は、自装置のセル間の移動に関する移動履歴と、配信装置１０から通知された在圏セルの変化特性に関する情報とに応じて、配信装置１０から配信されるデータの受信処理を変更することが出来る。これによって、例えば、通信端末４０は、配信されたデータを一律受理し、表示部等へ表示させるのではなく、自装置の移動履歴によっては、受信したデータを破棄し、もしくは、受信したデータを表示部等へ表示させないとの処理を実行することもできる。
【００２５】
そのため、通信端末４０は、例えば受信すべき情報のみについて受信に伴う処理を実行すればよく、不要な情報については受信に伴う処理を実行する必要がないため、受信に伴う処理の負担を軽減することが出来る。
【００２６】
（実施の形態２）
続いて、図２を用いて本発明の実施の形態２にかかる情報配信システムの構成例について説明する。図２の情報配信システムは、移動通信ネットワークとして、３ＧＰＰにおいて規定されたネットワーク構成を用いた例について説明する。
【００２７】
図２の情報配信システムは、Cell Broadcast Center（ＣＢＣ）１２、Mobile Management Element（ＭＭＥ）６１、evolved Node B（ｅＮＢ）２２、ｅＮＢ３２、Application（ＡＰＬ）サーバ５０及びUser Equipment（ＵＥ）４２を有している。
【００２８】
ＣＢＣ１２は、図１における配信装置１０に相当する。ｅＮＢ２２及びｅＮＢ３２は、図１における基地局２０及び基地局３０に相当する。ＵＥ４２は、図１における通信端末４０に相当する。ここで、ＣＢＣ１２、ＭＭＥ６１、ｅＮＢ２２及びｅＮＢ３２は移動通信ネットワークを構成する。ＡＰＬサーバ５０は、例えば移動通信ネットワークとは異なるネットワークに配置されるサーバ装置である。つまり、ＡＰＬサーバ５０は、移動通信ネットワークを管理する事業者とは異なる事業者が管理するサーバ装置である。また、ＵＥ４２は、移動通信ネットワークを介して通信を行う通信端末である。本図においては、ＵＥ４２が、ｅＮＢ２２によって形成されるセルからｅＮＢ３２によって形成されるセルへ移動している様子を示している。以下に、図２における各装置について説明を行う。
【００２９】
ｅＮＢ２２及びｅＮＢ３２は、無線システムとしてLong Term Evolution（ＬＴＥ）に対応した基地局である。図２においては、基地局としてｅＮＢ２２及びｅＮＢ３２を用いる構成例について説明しているが、２Ｇもしくは３Ｇシステムに対応したNode B（ＮＢ）等が用いられてもよい。ｅＮＢ２２及びｅＮＢ３２は、移動通信ネットワークの上位装置から送信されたデータをＵＥ４２へ送信し、さらに、ＵＥ４２から送信されたデータを上位装置へ送信する。上位装置は、例えば、ＭＭＥ６１もしくはＣＢＣ１２等である。上位装置は、中継装置と称されてもよい。
【００３０】
ｅＮＢ２２及びｅＮＢ３２は、ＵＥ４２へデータを送信する際に、ｅＮＢ２２及びｅＮＢ３２が形成するセル内に在圏する全てのＵＥに対してデータを送信するセルブロードキャスト通信を行う。セルブロードキャスト通信は、ＭＭＥ６１が、セル単位にデータの配信を行うことをｅＮＢへ指示し、ｅＮＢが、セル内に在圏する全てのＵＥに対してデータを配信する通信である。データの配信対象となるセルは、ＣＢＣ１２において決定される。
【００３１】
ＭＭＥ６１は、ｅＮＢ２２及びＣＢＣ１２と接続している。ＭＭＥ６１は、ＣＢＣ１２から指示された配信エリア（例えば配信セル）に対応する、あるいは指示された配信エリアを含む、あるいは全管理配下のｅＮＢに対して、配信するメッセージの送信を依頼する。以降では、説明の簡単のために、ＭＭＥ６１は指示された配信エリアに対応するｅＮＢに配信するメッセージの送信を依頼するものとして説明する。また、ＭＭＥ６１は、ＵＥ４２の移動管理を行う。例えば、ＭＭＥ６１は、ＵＥ４２に対する着信メッセージが送信されてきた場合に、ＵＥ４２が在圏する位置登録エリアを指定し、ＵＥ４２に対する呼び出し処理を実行する。また、ＭＭＥ６１は、ＵＥ４２に関する制御メッセージを送受信する。
【００３２】
ＣＢＣ１２は、ＭＭＥ６１及びＡＰＬサーバ５０と接続している。ＣＢＣ１２は、ＡＰＬサーバ５０からデータ配信を依頼するメッセージが送信された場合に、配信エリアを決定し、さらに、配信するメッセージ（ＣＢＳメッセージ）を作成する。ＣＢＣ１２は、配信エリアである配信セルをセル単位で選択しても良く、あるいはＵＥの位置登録エリアであるＴｒａｃｋｉｎｇ  Ａｒｅａ（ＴＡ）単位で選択しても良い。さらに、緊急情報の配信エリアを意味するＥｍｅｒｇｅｎｃｙ  Ａｒｅａ（ＥＡ）単位で選択しても良い。なお以降では、説明の簡単のために、ＣＢＣ１２は、主として配信エリアである配信セルをセル単位で選択する。ＣＢＣ１２は、ＭＭＥ６１を介して作成したＣＢＳメッセージをｅＮＢへ送信する。
【００３３】
ＡＰＬサーバ５０は、ＣＢＣ１２と接続している。ＡＰＬサーバ５０は、ＣＢＣ１２へデータ配信を依頼するメッセージを送信する。データ配信を依頼するメッセージには、データを受信する通信端末に関する受信ポリシーが含まれる。ＡＰＬサーバ５０は、例えば、緊急地震速報等を配信する政府機関が管理するサーバであってもよく、広告配信、公共情報および半公共情報（天候、事故情報、事件情報等）の配信、通信端末の動作を制御する情報の配信等を行う企業等が管理するサーバであってもよい。
【００３４】
ＵＥ４２は、ＣＢＣ１２から配信されたデータを受信する端末である。ＵＥ４２は、自装置の移動履歴に応じてＣＢＣ１２から配信されたデータの受信処理を変更する。ＵＥ４２における動作及び機能については後に詳述する。
【００３５】
続いて、図３を用いて本発明の実施の形態２にかかるＣＢＣ１２の構成例について説明する。ＣＢＣ１２は、受信ポリシー変換部１３及びメッセージ送受信部１５を有している。
【００３６】
受信ポリシー変換部１３は、ＡＰＬサーバ５０から送信された受信ポリシーを、在圏セルの変化特性に関する情報に変換する。ＡＰＬサーバ５０から送信される受信ポリシーは、例えば、データを受信するＵＥ４２が満たすべき移動特性に関する情報である。ＵＥ４２が満たすべき移動特性に関する情報は、例えば、ある特定のルートを経由したＵＥのみがデータを受信すること、を指示する情報であってもよい。もしくは、ＵＥ４２が満たすべき移動特性に関する情報は、例えば、ある特定の場所を経由しなかったＵＥのみがデータを受信すること、を指示する情報であってもよい。もしくは、ＵＥ４２が満たすべき移動特性に関する情報は、ＣＢＳメッセージを受信後に、ある特定のルートを経由したＵＥのみが受信したＣＢＳメッセージを表示すること、を指示する情報であってもよい。または、ＵＥ４２が満たすべき移動特性に関する情報は、ある特定の場所の滞在時間が短い（あるいは逆に、長い）ＵＥのみがデータを受信すること、を指示する情報であってもよい。もしくは、ＵＥ４２が満たすべき移動特性に関する情報は、ＣＢＳメッセージを受信後のある特定のエリアの滞在時間が短い（あるいは逆に、長い）ＵＥのみが受信したＣＢＳメッセージを表示すること、を指示する情報であってもよい。なお、上記では、各条件を満たす場合にデータを受信すること、の移動特性に関する情報の例を説明したが、移動特性に関する情報は、各条件を満たす場合はデータを破棄すること、を指示する情報であっても良い。
【００３７】
受信ポリシー変換部１３は、例えば、ある特定のルートを経由したＵＥのみがデータを受信すること、とする受信ポリシーを、セルＡ、セルＢ及びセルＣを経由して移動したＵＥのみがデータを受信すること、のようにＵＥ４２の在圏セルの変化特性に関する情報に変換する。また、受信ポリシー変換部１３は、例えば、ある特定の場所を経由しなかったＵＥのみがデータを受信すること、とする受信ポリシーを、セルＡを経由しなかったＵＥのみがデータを受信すること、のようにＵＥ４２の在圏セルの変化特性に関する情報に変換する。また、受信ポリシー変換部１３は、ＣＢＳメッセージを受信後に、ある特定のルートを経由したＵＥのみが受信したＣＢＳメッセージを表示すること、とする受信ポリシーを、ＣＢＳメッセージを受信後、セルＡ、セルＢ及びセルＣを経由して移動したＵＥのみがデータを表示すること、のようにＵＥ４２の在圏セルの変化特性に関する情報に変換する。また、受信ポリシー変換部１３は、例えば、ある特定の場所の滞在時間が短い（あるいは逆に、長い）ＵＥのみがデータを受信すること、とする受信ポリシーを、セルＢの滞在時間が短かった（あるいは逆に、長かった）ＵＥのみがデータを受信すること、のようにＵＥ４２の在圏セルの変化特性に関する情報に変換する。また、受信ポリシー変換部１３は、ＣＢＳメッセージを受信後のある特定のエリアの滞在時間が短い（あるいは逆に、長い）ＵＥのみが受信したＣＢＳメッセージを表示すること、とする受信ポリシーを、ＣＢＳメッセージを受信後のセルＣの滞在時間が短い（あるいは逆に、長い）ＵＥのみがデータを表示すること、のようにＵＥ４２の在圏セルの変化特性に関する情報に変換する。受信ポリシー変換部１３は、ＡＰＬサーバ５０から送信された受信ポリシーを変換した情報をメッセージ送受信部１５へ出力する。なお、上記では、ＵＥ４２の在圏セルの変化特性に関する情報として、各条件を満たす場合にデータを受信すること、の例を説明したが、ＵＥ４２の在圏セルの変化特性に関する情報は、各条件を満たす場合はデータを破棄すること、を指示する情報であっても良い。
【００３８】
さらに、受信ポリシー変換部１３は、ＡＰＬサーバ５０から送信された受信ポリシーに、配信地域が指定されている場合、指定された配信地域に対応するセル（配信セル）を決定する。受信ポリシー変換部１３は、決定したセルに関する情報をメッセージ送受信部１５へ出力する。
【００３９】
メッセージ送受信部１５は、ＣＢＳメッセージを生成し、生成したＣＢＳメッセージをＭＭＥ６１へ送信する。メッセージ送受信部１５は、ＭＭＥ６１に対して、配信先のセルに関する情報もあわせて送信する。ここで、メッセージ送受信部１５は、ＵＥが満たすべき在圏セルの変化特性に関する情報を、ＣＢＳメッセージに含めて送信する。例えば、ＣＢＳメッセージがヘッダ及びペイロードを有する構成である場合、ＵＥが満たすべき在圏セルの変化特性に関する情報は、ペイロードに設定されてもよく、または、逆に、ヘッダに設定されてもよい。
【００４０】
続いて、図４を用いて本発明の実施の形態２にかかるＵＥ４２の構成例について説明する。ＵＥ４２は、セルＩＤ取得部４４、移動履歴保持部４５、変化特性判定部４６及びメッセージ受信部４７を有している。ここで、変化特性判定部４６及びメッセージ受信部４７は、同一の通信モジュールに備えられてもよい。もしくは、変化特性判定部４６は、メッセージ受信部４７を有する通信モジュールとは異なるモジュールに備えられてもよい。
【００４１】
セルＩＤ取得部４４は、ＵＥ４２が現在在圏しているセルを管理するｅＮＢから、セルを識別するための情報（以下、セルＩＤと称する）を取得する。ｅＮＢは、セル内の全てのＵＥへ、セルＩＤを含む報知情報を送信する。また、セルＩＤ取得部４４は、定期的にｅＮＢから送信される報知情報を受信し、報知情報に含まれるセルＩＤを取得してもよい。もしくは、セルＩＤ取得部４４は、在圏セルが変更した場合に、変更後の在圏セルを管理するｅＮＢから送信される報知情報を受信し、報知情報に含まれるセルＩＤを取得してもよい。あるいは、セルＩＤ取得部４４は、在圏セルが変更されることを事前に検知した変更前の在圏セルを管理するｅＮＢから送信される変更後のセルに関する情報を受信し、セルＩＤを取得しても良い。セルＩＤ取得部４４は、取得したセルＩＤに関する情報を移動履歴保持部４５へ出力する。
【００４２】
移動履歴保持部４５は、セルＩＤ取得部４４から出力されるセルＩＤに関する情報を用いて、ＵＥ４２の移動履歴を作成する。移動履歴保持部４５は、例えば、セルＩＤ取得部４４から出力されたセルＩＤを取得した時系列の順番に保持し、ＵＥ４２の移動によって生じる在圏セルの変化に関する履歴を作成してもよい。
【００４３】
さらに、移動履歴保持部４５は、例えばｅＮＢ２２からセルＩＤを取得してから、ｅＮＢ３２からセルＩＤを取得するまでの時間を測定し、ＵＥ４２がｅＮＢ２２に在圏してから、ｅＮＢ３２へ移動するまでの時間に関する情報を移動履歴として作成してもよい。また、移動履歴保持部４５は、定期的にｅＮＢからセルＩＤを取得する場合、同じセルＩＤを取得した回数をカウントすることによって、同じセルに在圏し続けた時間に関する情報、つまり、異なるｅＮＢへ移動するまでの時間に関する情報を作成してもよい。
【００４４】
メッセージ受信部４７は、ｅＮＢから送信されたＣＢＳメッセージを受信する。メッセージ受信部４７は、ＣＢＳメッセージからＵＥが満たすべき在圏セルの変化特性に関する情報を抽出し、抽出した情報を変化特性判定部４６へ出力する。
【００４５】
変化特性判定部４６は、メッセージ受信部４７からＵＥが満たすべき在圏セルの変化特性に関する情報を受け取った場合、移動履歴保持部４５からＵＥ４２の移動履歴に関する情報を収集する。変化特性判定部４６は、移動履歴保持部４５から受け取ったＵＥ４２の移動履歴が、メッセージ受信部４７から受け取ったＵＥが満たすべき在圏セルの変化特性を満たすか否かを判定する。
【００４６】
変化特性判定部４６は、判定結果に応じてＣＢＳメッセージの受信処理を実行する。例えば、ＵＥ４２の移動履歴が、ＵＥが満たすべき在圏セルの変化特性を満たしている場合、変化特性判定部４６は、ＣＢＳメッセージを受理し、ＵＥ４２の表示部等にＣＢＳメッセージの内容を表示するように制御してもよい。ＵＥ４２における制御内容は、ＣＢＳメッセージに設定されている。例えば、ＣＢＳメッセージには、ＵＥ４２の移動履歴が、ＵＥが満たすべき在圏セルの変化特性を満たす場合、ＣＢＳメッセージを破棄する等の内容が設定されてもよい。この内容のＣＢＳメッセージを受信すると、ＵＥ４２の移動履歴が、ＵＥが満たすべき在圏セルの変化特性を満たしている場合、変化特性判定部４６は、ＣＢＳメッセージを破棄する。あるいは、ＵＥ４２における制御内容は、あらかじめ変化特性判定部４６が保持していても良い。例えば、ＵＥ４２の移動履歴が、ＵＥが満たすべき在圏セルの変化特性を満たしている場合、変化特性判定部４６は、あらかじめ保持していた制御内容に応じて、ＣＢＳメッセージを受理する。なお、ＵＥ４２の移動履歴が、ＵＥが満たすべき在圏セルの変化特性を満たす場合、あるいは逆に満たさない場合に対する制御内容（受理する、破棄する等）は、柔軟に用いることができる。
【００４７】
なおここで、上記の制御内容について詳細に説明する。制御内容は、例として次のようなものが挙げられる。
・メッセージを受理する。
・メッセージを破棄する。
また、メッセージを受理した後の動作内容はまさに様々なものが考えられ、例えば以下のようなものが挙げられる。
・メッセージを表示する。
・メッセージを音声出力する。
・メッセージを他の端末（ＵＥなど）に送信する。
・メッセージに従い、ＡＰＬサーバ向けにデータ通信を開始する。
・メッセージに従い、自端末のソフトウェア（アプリケーションなど）を制御する。
当然ながら、メッセージ受理後の動作は上記に限られるものではない。
【００４８】
続いて、図５を用いて本発明の実施の形態２にかかるＣＢＣ１２におけるＣＢＳメッセージの送信処理の流れについて説明する。はじめに、受信ポリシー変換部１３は、ＡＰＬサーバ５０からＵＥが満たすべきＣＢＳメッセージの受信ポリシーに関する情報を受信する（Ｓ１１）。受信ポリシーには、例えば、ＣＢＳメッセージを受信するＵＥが満たすべき移動特性に関する情報が設定されている。さらに、受信ポリシーには、例えば、ＣＢＳメッセージを配信する地域に関する情報が設定されている。
【００４９】
次に、受信ポリシー変換部１３は、受信ポリシーに設定されているＵＥが満たすべき移動特性に関する情報を、ＵＥが満たすべき在圏セルの変化特性に関する情報に変換する（Ｓ１２）。次に、受信ポリシー変換部１３は、ＣＢＳメッセージを配信する地域に関する情報を、ＣＢＳメッセージを配信するセルに関する情報に変換する（Ｓ１３）。
【００５０】
次に、メッセージ送受信部１５は、配信先セルを管理するｅＮＢへ送信するＣＢＳメッセージを生成する。ＣＢＳメッセージは、例えば、災害に関する緊急を要するメッセージもしくは広告に関するメッセージ等であってもよい。ＣＢＳメッセージの内容は、ＡＰＬサーバ５０によって定められ、Ｓ１１の処理と同時、あるいは事前にＣＢＣ１２へ通知される。さらに、メッセージ送受信部１５は、ＣＢＳメッセージを構成するペイロードに、在圏セルの変化特性に関する情報を設定する。なお、在圏セルの変化特性に関する情報はＣＢＳメッセージを構成するヘッダに設定してもよい。
【００５１】
次に、メッセージ送受信部１５は、生成したＣＢＳメッセージを、ＭＭＥ６１を介して配信先セルを管理するｅＮＢへ送信する（Ｓ１５）。
【００５２】
続いて、図６を用いて本発明の実施の形態２にかかるＵＥ４２におけるＣＢＳメッセージの受信処理の流れについて説明する。はじめに、メッセージ受信部４７は、ＵＥ４２がｅＮＢ３２によって形成されたセルに在圏している場合、ｅＮＢ３２から送信されたＣＢＳメッセージを受信する（Ｓ２１）。次に、変化特性判定部４６は、移動履歴保持部４５からＵＥ４２の移動履歴に関する情報を収集する（Ｓ２２）。移動履歴保持部４５は、セルＩＤ取得部４４が取得したセルＩＤを用いて、予めＵＥ４２の移動履歴に関する情報を生成している。変化特性判定部４６は、ＣＢＳメッセージを受信する前に生成されたＵＥ４２の移動履歴に関する情報を収集する。もしくは、移動履歴保持部４５は、ＣＢＳメッセージを取得した変化特性判定部４６から移動履歴に関する情報の生成を指示された場合に、ＵＥ４２の移動履歴に関する情報を生成してもよい。
【００５３】
次に、変化特性判定部４６は、移動履歴保持部４５から収集した移動履歴に関する情報が、ＣＢＳメッセージに設定されたＵＥが満たすべき在圏セルの変化特性を満たすか否かを判定する（Ｓ２３）。ここで、ＣＢＳメッセージに、在圏セルの変化特性を満たす場合にＣＢＳメッセージを表示部に表示する、との内容が設定されている場合について説明する。この場合、変化特性判定部４６は、移動履歴保持部４５から収集した移動履歴に関する情報が、ＣＢＳメッセージに設定されたＵＥが満たすべき在圏セルの変化特性を満たすと判定した場合、表示部にＣＢＳメッセージを表示させる制御を実行する（Ｓ２４）。変化特性判定部４６は、移動履歴保持部４５から収集した移動履歴に関する情報が、ＣＢＳメッセージに設定されたＵＥが満たすべき在圏セルの変化特性を満たさないと判定した場合、受信したＣＢＳメッセージを破棄する制御を実行する（Ｓ２５）。
【００５４】
以上説明したように、本発明の実施の形態２にかかる情報配信システムを用いることによって、３ＧＰＰにおいて規定されたネットワークを用いてＣＢＳを用いてデータを受信したＵＥが、ＡＰＬサーバ５０において設定された受信ポリシーに応じて受信処理を変更することが出来る。例えば、ＵＥは、受信ポリシーを満たさない場合には、受信したＣＢＳメッセージを破棄する等の処理を行うことにより、全てのＣＢＳメッセージを表示部等へ表示する必要がない。そのため、ＵＥは、ＧＰＳ、各種センサもしくは路車間ＩＴＳシステム等の機能を搭載することなく、配信された情報の受信処理（受理、破棄、表示、非表示など）を移動特性に応じて変更することが出来る。また、ＵＥは、表示処理を実行することによる負荷を軽減することが出来る。
【００５５】
さらに、ＡＰＬサーバ５０は、移動通信ネットワーク内に形成されているセルの場所等の詳細なネットワーク構成情報に基づいたＵＥの移動履歴を指定することなく、例えば、住所情報等に基づいたＵＥの移動履歴を指定して受信ポリシーを設定することが出来る。これによって、移動通信ネットワーク側は、ネットワーク構成等の事業者が管理すべき情報を外部に開示することを防止することが出来る。さらに、ＣＢＣ１２が、ＡＰＬサーバ５０から送信された受信ポリシーを、在圏セルの変化特性に関する情報に変換する機能を有することによって、ＡＰＬサーバ５０は、住所情報等の簡易な情報のみを用いて受信ポリシーを設定することができる。これによって、ＡＰＬサーバ５０における受信ポリシーの生成処理の負担を軽減することが出来る。
【００５６】
（実施の形態３）
続いて、図７を用いて本発明の実施の形態３にかかる在圏セルの変化特性に関する情報の具体的な内容について説明する。
【００５７】
例えば、ＡＰＬサーバ５０が、Ｄ地域にＣＢＳメッセージを配信すること、との配信指示と、同ＣＢＳメッセージに関する、Ａ地域とＢ地域とを経由してＣ地域へ移動したＵＥがＣＢＳメッセージを受信せよ、とするＵＥにおける受信ポリシーをＣＢＣ１２へ送信した場合について説明する。ここで、例えば、Ａ地域が図７におけるセル２に相当し、Ｂ地域が図７におけるセル４に相当し、Ｃ地域が図７におけるセル７に相当し、Ｄ地域が図７におけるセル９に相当すると仮定する。
【００５８】
この場合、ＣＢＣ１２は、ＣＢＳメッセージの配信先を、Ｄ地域に相当するセル９を管理するｅＮＢと決定する。さらに、ＣＢＣ１２は、ＡＰＬサーバ５０から送信された受信ポリシーを、ＵＥが満たすべき在圏セルの変化特性として、セル２、セル４及びセル７を経由して移動したＵＥがＣＢＳメッセージを受理せよ、とする情報に変換する。ＣＢＣ１２は、変換した情報をＣＢＳメッセージに設定し、ＣＢＳメッセージをＭＭＥ６１を介して、セル９を管理するｅＮＢへ送信する。
【００５９】
ここで、セル９には、ＵＥ−Ａ及びＵＥ−Ｂが在圏しているとする。ＣＢＳメッセージは、ブロードキャストで配信されるため、ＵＥ−Ａ及びＵＥ−Ｂは、ともにＣＢＳメッセージを受信する。ＵＥ−Ａは、セル１、セル４及びセル６を経由して移動している。そのため、ＵＥ−Ａは、ＣＢＳメッセージに設定されているＵＥが満たすべき在圏セルの変化特性を満たしていない。その結果、ＵＥ−Ａは、受信したＣＢＳメッセージを破棄する。これに対して、ＵＥ−Ｂは、セル２、セル４及びセル７を経由して移動している。そのため、ＵＥ−Ｂは、ＣＢＳメッセージに設定されているＵＥが満たすべき在圏セルの変化特性を満たしている。その結果、ＵＥ−Ｂは、受信したＣＢＳメッセージの受信処理を継続する。例えば、ＵＥ−Ｂは、受信したＣＢＳメッセージを表示部等へ表示する処理を実行する。
【００６０】
図７の例においては、ＡＰＬサーバ５０が指定した地域と、セルとが１対１に対応する場合について説明したが、ＡＰＬサーバ５０が指定した地域と、セルとは１対Ｎ（Ｎは自然数）、もしくはＮ対１に対応してもよい。
【００６１】
なお、ＵＥが満たすべき在圏セルの変化特性として指定する経由セルは、隣接する連続セル以外でも良い。すなわち例えば、図７の例を用いる場合、セル２、セル７及びセル９を経由して移動したＵＥがＣＢＳメッセージを受信せよ、としても良い。この場合、上記の例では、ＵＥ−Ｂは、セル２、セル４、セル７及びセル９（現在在圏）を経由した情報を保持する中で、ＣＢＳメッセージに設定された変化特性である、セル２、セル７及びセル９を経由、を満たしていると判断して（部分的にマッチングしているため満たすと判断して）ＣＢＳメッセージの受信処理を継続する。つまり、ＣＢＳメッセージに設定する変化特性としては物理的（電波的、あるいは通信カバー領域的）に隣接していないセル間の経由情報を指定しても良い。（上記例だと、例えばセル４を経由情報として含めなくても良い。）なお、ＣＢＳメッセージに指定するＵＥが満たすべき在圏セルの変化特性として指定する経由セルの表現の種類は様々なものが考えられ、例えば、
・少なくとも、セルＸ，セルＹ，セルＺを経由した場合。（途中でＸ，Ｙ，Ｚ以外のセルを経由しても条件を満たしたと判定する。）
・必ず、セルＸ，セルＹ，セルＺを連続して経由した場合。（途中でＸ，Ｙ，Ｚ以外のセルを経由したならば条件を満たさないと判定する。）
・少なくとも、セルＸ，セルＹ，セルＺを連続して経由した場合。（Ｘ，Ｙ，Ｚを連続して経由さえすれば、その前後にどのようなセルを経由しても条件を満たすと判定する。）
などがあり、またこれらの組み合わせで指定しても良い。
【００６２】
また、例えば、ＡＰＬサーバ５０が、Ａ地域にＣＢＳメッセージを配信すること、との配信指示と、ＣＢＳメッセージ受信後に、Ａ地域とＢ地域とＣ地域を経由したＵＥがＣＢＳメッセージを表示せよ、とするＵＥにおける受信ポリシーをＣＢＣ１２へ送信してもよい。この場合、ＵＥ−Ｂは、セル２においてＣＢＳメッセージを受信し、セル２、セル４及びセル７を経由した後に、セル２において受信したＣＢＳメッセージを表示する。なお、ＣＢＳメッセージを受信した後の在圏セルの変化特性に関する条件は、ＣＢＳメッセージを受信後永続的に有効としてもよく、もしくは、時間、異なるセルＩＤの取得回数（セル間の移動回数）、同じセルＩＤの取得回数、特定のセルＩＤの取得等を条件に無効としてもよい。在圏セルの変化特性に関する条件を無効とする場合、ＵＥは、受信ポリシーにおける指示内容と反対の処理（例えば、破棄もしくは受理等）を行ってもよい。
【００６３】
続いて、図８を用いて、本発明の実施の形態３にかかる在圏セルの変化特性に関する情報の他の具体的な内容について説明する。
【００６４】
例えば、ＡＰＬサーバ５０が、高速道路上のＤ地域を走行中の車両のうち、サービスエリア（ＳＡ）−ａにおいて休憩しなかった車両のみがＳＡ−ｂ用の広告メッセージを受理せよ、とするＵＥにおける受信ポリシーをＣＢＣ１２へ送信した場合について説明する。ここで、例えば、Ｄ地域が図８におけるセル３に相当し、ＳＡ−ａが位置する地域が図８のセル２に相当すると仮定する。
【００６５】
車両がＳＡ−ａにおいて休憩したか否かは、セル２に滞在した時間に基づいて判定される。具体的には、車両がＳＡ−ａにおいて休憩したか否かは、ＵＥ−Ａ及びＵＥ−Ｂが、セル１からセル３へ移動した際に、セル２に関するセルＩＤを取得してから、セル３に関するセルＩＤを取得するまでに要した時間に基づいて判定される。ＵＥ−Ａ及びＵＥ−Ｂは、セル１からセル２へ移動した際に、セル２に関するＩＤを取得し、セル２からセル３へ移動した際にセル３に関するＩＤを取得する。
【００６６】
この場合、ＣＢＣ１２は、ＣＢＳメッセージの配信先を、セル３を管理するｅＮＢと決定する。さらに、ＣＢＣ１２は、ＡＰＬサーバ５０から送信された受信ポリシーを、ＵＥが満たすべき在圏セルの変化特性として、セル２に関するセルＩＤの取得時刻とセル３に関するセルＩＤの取得時刻との差分がＴ（Ｔは０以上の整数）分以下のＵＥがＣＢＳメッセージを受信せよ、とする情報に変換する。なお、Ｔの単位は、秒、分、時、日、月などいずれでも良いが、以降では分の例で説明する。ＣＢＣ１２は、変換した情報をＣＢＳメッセージに設定し、ＣＢＳメッセージをＭＭＥ６１を介して、セル３を管理するｅＮＢへ送信する。
【００６７】
ここで、セル３には、ＵＥ−Ａ及びＵＥ−Ｂが在圏しているとする。ＣＢＳメッセージは、ＣＢＳによって配信されるため、ＵＥ−Ａ及びＵＥ−ＢともにＣＢＳメッセージを受信する。ＵＥ−Ａは、セル２に関するセルＩＤの取得時刻とセル３に関するセルＩＤの取得時刻との差分がＴ分より大きいとする。この場合、ＵＥ−Ａは、ＣＢＳメッセージに設定されているＵＥが満たすべき在圏セルの変化特性を満たしていない。その結果、ＵＥ−Ａは、受信したＣＢＳメッセージを破棄する。これに対して、ＵＥ−Ｂは、セル２に関するセルＩＤの取得時刻とセル３に関するセルＩＤの取得時刻との差分がＴ分以下であるとする。この場合、ＵＥ−Ｂは、ＣＢＳメッセージに設定されているＵＥが満たすべき在圏セルの変化特性を満たしている。その結果、ＵＥ−Ｂは、受信したＣＢＳメッセージの受信処理を継続する。例えば、ＵＥ−Ｂは、受信したＣＢＳメッセージを表示部等へ表示する処理を実行する。
【００６８】
また、例えば、ＡＰＬサーバ５０が、Ｅ地域にＣＢＳメッセージを配信すること、との配信指示と、ＣＢＳメッセージ受信後にＳＡ−ａで休憩した車両（ＵＥ）のみが広告メッセージ（ＣＢＳメッセージ）を表示せよ、とするＵＥにおける受信ポリシーをＣＢＣ１２へ送信してもよい。ここで、例えば、Ｅ地域は図８におけるセル１に相当し、ＳＡ−ａが位置する地域が図８のセル２に相当すると仮定する。この場合、ＵＥ−ＡおよびＵＥ−Ｂは、セル１においてＣＢＳメッセージを受信するが、その後にＳＡ−ａに立ち寄ったことでセル２の滞在時間が長くなったＵＥ−Ａのみが、セル１において受信したＣＢＳメッセージを表示する。なお、ＣＢＳメッセージを受信した後の在圏セルの変化特性に関する条件は、ＣＢＳメッセージを受信後永続的に有効としてもよく、もしくは、時間、異なるセルＩＤの取得回数（セル間の移動回数）、同じセルＩＤの取得回数、特定のセルＩＤの取得等を条件に無効としてもよい。在圏セルの変化特性に関する条件を無効とする場合、ＵＥは、受信ポリシーにおける指示内容と反対の処理（例えば、破棄もしくは受理等）を行ってもよい。
【００６９】
なお、移動時間（滞在時間）に関する在圏セルの変化特性が上述の例のように各セルＩＤの取得時刻の差分によって指定される場合、複数のセルＩＤの取得時刻の差分を設定しても良い。すなわち例えば、図８の例を用いる場合、セル１のセルＩＤ取得時刻からセル２のセルＩＤ取得時刻までの差分がＴ＿１（Ｔ＿１は０以上の整数）分以下で、かつセル２のセルＩＤ取得時刻からセル３のセルＩＤ取得時刻までの差分がＴ＿２（Ｔ＿２は０以上の整数）分以下のＵＥがＣＢＳメッセージを受信せよ、と設定しても良い。なお、Ｔ＿１およびＴ＿２の単位は、秒、分、時、日、月などいずれでも良い。また、セルＩＤの取得時刻の差分を求めるセルは隣接セル同士（図８で示すと例えばセル２とセル３）以外でも良い。すなわち例えば、図８の例を用いる場合、セル１のセルＩＤ取得時刻からセル３のセルＩＤ取得時刻までの差分がＴ＿３（Ｔ＿３は０以上の整数）分以下のＵＥがＣＢＳメッセージを受信せよ、と設定しても良い。なお、Ｔ＿３の単位は、秒、分、時、日、月などいずれでも良い。
【００７０】
また、ＣＢＣ１２において、移動時間（滞在時間）に関する在圏セルの変化特性は、ＵＥが定期的にｅＮＢからセルＩＤを取得する場合、同じセルＩＤを取得した回数によって指定しても良い。すなわち、上記例においては、ＣＢＣ１２がＣＢＳメッセージに設定する在圏セルの変化特性として、セル２のセルＩＤの取得回数がＮ（Ｎは０以上の整数）回以下のＵＥがＣＢＳメッセージを受信せよ、が設定されても良い。
【００７１】
さらに、ＣＢＣ１２がＣＢＳメッセージに設定する移動時間（滞在時間）に関する在圏セルの変化特性としては、単純に各セルの滞在時間だけが設定されても良い。すなわち、上記例においては、ＣＢＣ１２がＣＢＳメッセージに設定する在圏セルの変化特性として、セル２の滞在時間がＭ（Ｍは０以上の整数）分以下のＵＥがＣＢＳメッセージを受信せよ、が設定されても良い。なお、Ｍの単位は、秒、分、時、日、月などいずれでも良いが、以降では分の例で説明する。この場合、ＵＥ側は、ＣＢＳメッセージの受理判定に用いるＵＥが満たすべき在圏セルの変化特性（この例ではセル２の滞在時間）を、各セルＩＤの取得時刻の差分から算出しても良いし、セル２のセルＩＤを取得した回数から算出しても良い、あるいは他の方法で算出しても良い。
【００７２】
以上説明したように、ＣＢＣ１２は、ＡＰＬサーバ５０が設定した受信ポリシーを在圏セルの変化特性に関する情報に変換することが出来る。実施の形態３においては、図７及び図８を用いて、在圏セルの変化特性に関する情報の具体例を説明したが、ＣＢＣ１２は、図７及び図８の内容に制限されず、様々な受信ポリシーを、在圏セルの変化特性に関する具体的な情報に変換することが出来る。ＣＢＣ１２は、受信ポリシーと、受信ポリシーを変換した後の在圏セルの変化特性に関する情報とを、データベース等を用いて対応付けて管理してもよい。
【００７３】
（実施の形態４）
続いて、図９を用いて本発明の実施の形態４にかかる情報配信システムの構成例について説明する。図９の情報配信システムは、ＣＢＣ７０及びＡＰＬサーバ８０を有している。
【００７４】
ＡＰＬサーバ８０は、受信ポリシー変換部１３及び受信ポリシー作成部１７を有している。受信ポリシー変換部１３は、図３における受信ポリシー変換部１３と同様であるため詳細な説明を省略する。受信ポリシー作成部１７は、受信ポリシーとして、データを受信するＵＥ４２が満たすべき移動特性に関する情報を作成する。受信ポリシー作成部１７は、作成した受信ポリシーを受信ポリシー変換部１３へ出力する。
【００７５】
受信ポリシー変換部１３は、図３の受信ポリシー変換部１３と同様に、受け取った受信ポリシーを在圏セルの変化特性に関する情報に変換する。受信ポリシー変換部１３は、在圏セルの変化特性に関する情報をメッセージ送受信部１５へ送信する。
【００７６】
ＣＢＣ７０は、メッセージ送受信部１５を有している。メッセージ送受信部１５は、図３のメッセージ送受信部１５と同様であるため詳細な説明を省略する。メッセージ送受信部１５は、ＣＢＳメッセージを生成し、生成したＣＢＳメッセージをＭＭＥ６１へ送信する。メッセージ送受信部１５は、受信ポリシーを変換したＵＥが満たすべき在圏セルの変化特性に関する情報を、ＣＢＳメッセージに含めて送信する。
【００７７】
以上説明したように、図９のＣＢＣ７０は、受信ポリシー変換部１３を有さず、メッセージ送受信部１５のみを有している点において、図３のＣＢＣ１２と異なる。さらに、図９のＡＰＬサーバ８０は、受信ポリシー変換部１３を有する点において、図２のＡＰＬサーバ５０と異なる。このように、受信ポリシー変換部１３とメッセージ送受信部１５とを異なる装置に分散配置することによって、受信ポリシー変換部１３及びメッセージ送受信部１５を一つの装置に配置する図３の場合と比較して、処理負担を軽減、分散させることが出来る。
【００７８】
また、ＣＢＣ７０、ＭＭＥ６１等の移動通信ネットワークを管理する事業者がＡＰＬサーバ８０を運用する場合に、ＡＰＬサーバ８０は、移動通信事業者が管理するセルの位置等のネットワーク構成情報を取得することが出来る。つまり、図２及び図３等の説明においては、移動通信ネットワークを管理する事業者と、ＡＰＬサーバ８０を管理する事業者とは異なるとして説明している。そのため、ＡＰＬサーバ８０が、移動通信事業者が管理するネットワーク構成情報を取得することはできないため、ＣＢＣ１２が受信ポリシーを、在圏セルの変化特性に関する情報に変換している。
【００７９】
これに対して、移動通信事業者とＡＰＬサーバ８０を管理する事業者が同一である場合、ＡＰＬサーバ８０が、移動通信事業者が管理するネットワーク構成情報を取得することができる。そのため、図９のように、ＡＰＬサーバ８０が受信ポリシーを、在圏セルの変化特性に関する情報に変換することが出来る。
【００８０】
（実施の形態５）
続いて、図１０を用いて本発明の実施の形態５にかかる情報配信システムの構成例について説明する。図１０の情報配信システムは、ＣＢＣ７０、ＭＴＣ−ＩＷＦ９０及びＡＰＬサーバ５０を有している。ＭＴＣ−ＩＷＦ９０は、３ＧＰＰにおいて規定される移動通信ネットワーク内に配置されるノード装置である。ＭＴＣ−ＩＷＦ９０は、例えば、通信機器間においてユーザ操作を伴わずに自律的にデータを送信する装置であるＭ２Ｍデバイスを制御するために用いられるノード装置である。さらに、ＭＴＣ−ＩＷＦ９０は、移動通信ネットワークと異なるネットワークに配置されるサーバ装置等と通信を行うためのインタフェースを有する。
【００８１】
ＭＴＣ−ＩＷＦ９０は、受信ポリシー変換部１３を有している。受信ポリシー変換部１３は、図３における受信ポリシー変換部１３及び図９における受信ポリシー変換部１３と同様であるため詳細な説明を省略する。ＭＴＣ−ＩＷＦ９０の受信ポリシー変換部１３は、ＡＰＬサーバ５０から送信された受信ポリシーを、在圏セルの変化特性に関する情報に変換する。また、ＣＢＣ７０も、図９におけるＣＢＣ７０と同様であるため詳細な説明を省略する。
【００８２】
以上説明したように、本発明の実施の形態５にかかる情報配信システムを用いることにより、３ＧＰＰにおいて規定されたＭＴＣ−ＩＷＦが、受信ポリシーを在圏セルの変化特性に関する情報に変換することが出来る。このように、受信ポリシー変換部１３とメッセージ送受信部１５とを異なる装置に分散配置することによって、受信ポリシー変換部１３及びメッセージ送受信部１５を一つの装置に配置する図３の場合と比較して、処理負担を軽減、分散させることが出来る。
【００８３】
（実施の形態６）
続いて、図１１を用いて本発明の実施の形態６にかかる在圏セルの変化特性に関する情報の具体的な内容について説明する。例えば、ＡＰＬサーバ５０が、Ｄ地域にＣＢＳメッセージを配信すること、との配信指示と、ＸＸ高速道路の上り車線方向を移動しているＵＥがＣＢＳメッセージを受理せよ、とするＵＥにおける受信ポリシーをＣＢＣ１２へ送信した場合について説明する。ここで、例えば、Ｄ地域が図１１におけるセル９に相当すると仮定する。さらに、図１１の破線がＸＸ高速道路を示していると仮定する。
【００８４】
本図においては、物理的なセル配置の流れに従って、具体的には、ＸＸ高速道路沿いの各セルにシーケンシャルにＩＤを付与していることを示している。例えば、ＸＸ高速道路の上り車線を走行する車両は、セル２、セル４、セル７の順番に移動するとする。この場合、セル２にシーケンスＩＤ１を付与し、セル４にシーケンスＩＤ２を付与し、セル７にシーケンスＩＤ３を付与してもよい。これより、ＵＥは、在圏セルの変化特性として、過去に経由したセルに付与されているシーケンスＩＤが増加している場合にＣＢＳメッセージを受理することによって、受信ポリシーを満たすことができる。具体的に、図１１に示される例を用いて説明する。
【００８５】
セル９に在圏するＵＥ−Ａ及びＵＥ−Ｂは、ブロードキャストで配信されるＣＢＳメッセージを受信する。ＵＥ−Ａは、セル１、セル４、セル６を経由しており、経由したセルにおけるシーケンスＩＤは大きくならないため、受信ポリシーを満たしていない。そのため、ＵＥ−Ａは、受信したＣＢＳメッセージを破棄する。これに対して、ＵＥ−Ｂは、セル２、セル４、セル７を経由しており、経由したセルにおけるシーケンスＩＤは、ＩＤ１、ＩＤ２、ＩＤ３と大きくなっている。このような場合、ＵＥ−Ｂは、受信ポリシーを満たすためＣＢＳメッセージを受理する。
【００８６】
続いて、図１２を用いて本発明の実施の形態６にかかるＣＢＣ１００及びＵＥ１１０の構成例について説明する。はじめに、ＣＢＣ１００の構成例について説明する。ＣＢＣ１００は、シーケンス番号抱合メッセージ送受信部１０１、シーケンス番号型受信ポリシ変換部１０２及びメッセージ送受信部１５を有している。
【００８７】
シーケンス番号抱合メッセージ送受信部１０１は、シーケンス番号配信指示サーバ等からシーケンスＩＤ付与に関する指示メッセージを受信すると、それぞれのｅＮＢに対して、シーケンスＩＤを設定したＣＢＳメッセージを送信する。例えば、ＵＥ１１０は、セル２を形成するｅＮＢに対しては、シーケンスＩＤ１を設定したＣＢＳメッセージを送信し、セル４を形成するｅＮＢに対しては、シーケンスＩＤ２を設定したＣＢＳメッセージを送信し、セル７を形成するｅＮＢに対しては、シーケンスＩＤ３を設定したＣＢＳメッセージを送信する。ｅＮＢ３２は、ＭＭＥ６１を介してシーケンス番号抱合メッセージ送受信部１０１から送信されたＣＢＳメッセージを、ＵＥ１１０へ送信する。
【００８８】
シーケンス番号型受信ポリシ変換部１０２は、ＡＰＬサーバから、シーケンスＩＤを活用する受信ポリシーを受け取る。例えば、シーケンス番号型受信ポリシ変換部１０２は、ＡＰＬサーバから、Ｄ地域にＣＢＳメッセージを配信すること、との配信指示と、ＸＸ高速道路の上り車線方向を移動しているＵＥがＣＢＳメッセージを受信せよ、とするＵＥにおける受信ポリシーを受け取る。
【００８９】
このような場合、シーケンス番号型受信ポリシ変換部１０２は、上り車線方向を移動しているＵＥのみがＣＢＳメッセージを受理することができるように、受け取った受信ポリシーを、過去に経由したセルに付与されているシーケンスＩＤが増加している場合にＣＢＳメッセージを受理せよ、とする受信ポリシーに変換する。また、下り車線方向を移動しているＵＥがＣＢＳメッセージを受信せよ、とする受信ポリシーを受け取った場合、過去に経由したセルに付与されているシーケンスＩＤが減少している場合にＣＢＳメッセージを受理せよ、とする受信ポリシーに変換してもよい。
【００９０】
メッセージ送受信部１５は、シーケンス番号型受信ポリシ変換部１０２において変換された受信ポリシーをＭＭＥ６１及びｅＮＢ３２を介してＵＥ１１０へ送信する。
【００９１】
次に、ＵＥ１１０の構成例について説明する。ＵＥ１１０は、シーケンス番号取得部１１１、シーケンス番号履歴保持部１１２、シーケンス番号変化特性判定部１１３及びメッセージ受信部４７を有している。
【００９２】
シーケンス番号取得部１１１は、ＭＭＥ６１及びｅＮＢ３２を介して、シーケンス番号抱合メッセージ送受信部１０１から送信されたシーケンスＩＤが設定されたＣＢＳメッセージを受信する。シーケンス番号取得部１１１は、受信したＣＢＳメッセージに設定されたシーケンスＩＤをシーケンス番号履歴保持部１１２へ出力する。
【００９３】
ここで、シーケンス番号取得部１１１は、在圏するセルが変更されるタイミングに、ｅＮＢ３２からシーケンスＩＤが設定されたＣＢＳメッセージを受信してもよく、定期的にシーケンスＩＤが設定されたＣＢＳメッセージを受信してもよい。例えば、シーケンス番号取得部１１１は、定期的にシーケンスＩＤが設定されたＣＢＳメッセージを受信する場合、同じシーケンスＩＤを受信した場合、受信したシーケンスＩＤをシーケンス番号履歴保持部１１２へ出力しないようにし、受信したシーケンスＩＤが変化した場合、変化したシーケンスＩＤをシーケンス番号履歴保持部１１２へ出力してもよい。
【００９４】
シーケンス番号履歴保持部１１２は、シーケンス番号取得部１１１から出力されたシーケンスＩＤを保持し、ＵＥ１１０が移動したセルの変化履歴を、シーケンスＩＤを用いて管理する。
【００９５】
メッセージ受信部４７は、ＭＭＥ６１及びｅＮＢ３２を介して、メッセージ送受信部１５から送信された受信ポリシーが設定されたＣＢＳメッセージを受信する。メッセージ受信部４７は、ＣＢＳメッセージに設定された受信ポリシーをシーケンス番号変化特性判定部１１３へ出力する。
【００９６】
シーケンス番号変化特性判定部１１３は、ＵＥ１１０が移動したセルの変化履歴が、メッセージ受信部４７から出力された受信ポリシーを満たしているか否かを判定する。例えば、シーケンス番号変化特性判定部１１３は、過去に経由したセルに付与されているシーケンスＩＤが増加する場合にＣＢＳメッセージを受理せよ、との受信ポリシーが出力された場合、シーケンス番号履歴保持部１１２に保持されているシーケンスＩＤの変化履歴が増加しているか否かを判定する。シーケンス番号変化特性判定部１１３は、判定結果に応じてＣＢＳメッセージの受信処理を実行する。
【００９７】
以上説明したように、ＣＢＣ１００は、受信ポリシーを設定したＣＢＳメッセージとは別に、シーケンスＩＤを通知するためにＣＢＳメッセージを送信することができる。これによって、ＵＥ１１０は、シーケンスＩＤの変化履歴に応じて、ＣＢＳメッセージの受信処理を変更することができる。
【００９８】
ここで、シーケンスＩＤを使用しない場合、シーケンス番号型受信ポリシ変換部１０２に相当する受信ポリシ変換部は、地図情報との対応等から、ＸＸ高速道路のＡ地点から上り車線に対応する複数のセルを算出する。さらに、受信ポリシ変換部は、算出した複数のセルを経由したＵＥのみＣＢＳメッセージを受理せよ、とするＣＢＳメッセージを送信する。これに対して、シーケンスＩＤを使用する場合、シーケンス番号型受信ポリシ変換部１０２は、シーケンスＩＤが増加する場合のみＣＢＳメッセージを受理せよ、とする受信ポリシーを生成すればよい。そのため、シーケンスＩＤを使用しない場合と比較して、シーケンスＩＤを使用する場合の受信ポリシ変換部の処理負担が軽減される。
【００９９】
上述の実施の形態では、本発明をハードウェアの構成として説明したが、本発明は、これに限定されるものではない。本発明は、通信端末４０におけるデータ受信処理及び配信装置１０におけるデータ配信処理を、ＣＰＵ（Central Processing Unit）にコンピュータプログラムを実行させることにより実現することも可能である。
【０１００】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１０１】
なお、本発明は上記実施の形態に限られたものではなく、趣旨を逸脱しない範囲で適宜変更することが可能である。
【符号の説明】
【０１０２】
１０  配信装置
１２  ＣＢＣ
１３  受信ポリシー変換部
１５  メッセージ送受信部
１７  受信ポリシー作成部
２０  基地局
２１  セル
２２  ｅＮＢ
３０  基地局
３１  セル
３２  ｅＮＢ
４０  通信端末
４２  ＵＥ
４４  セルＩＤ取得部
４５  移動履歴保持部
４６  変化特性判定部
４７  メッセージ受信部
５０  ＡＰＬサーバ
６１  ＭＭＥ
７０  ＣＢＣ
８０  ＡＰＬサーバ
９０  ＭＴＣ−ＩＷＦ
１００  ＣＢＣ
１０１  シーケンス番号抱合メッセージ送受信部
１０２  シーケンス番号型受信ポリシ変換部
１１０  ＵＥ
１１１  シーケンス番号取得部
１１２  シーケンス番号履歴保持部
１１３  シーケンス番号変化特性判定部
【図１】
2015008399.tif 000003
【図２】
2015008399.tif 000004
【図３】
2015008399.tif 000005
【図４】
2015008399.tif 000006
【図５】
2015008399.tif 000007
【図６】
2015008399.tif 000008
【図７】
2015008399.tif 000009
【図８】
2015008399.tif 000010
【図９】
2015008399.tif 000011
【図１０】
2015008399.tif 000012
【図１１】
2015008399.tif 000013
【図１２】
2015008399.tif 000014